(57)【要約】      （修正有）【課題】ボイスコイルの上下運動の際の振れを抑えることで、出力する音声のクオリティを向上させたラウンドスピーカを提供する。【解決手段】長さの短い支持柱６０を利用して固定するようにプレート４０に接合され、支持柱６０の上端は固定柱７１に合わせて固定するようにコーン紙２０の中間部２１に接合され、ボイスコイル５０の上端を固定するようにコーン紙２０に接合する。この構造により、ボイスコイル５０がコーン紙２０を振動させて音声を発する際、支持柱６０の下端がプレート４０に固定されているため、長さの短い支持柱６０は振れによって発生する偏移量が少なく、ボイスコイル５０が磁気間隔４２において上下運動を行う際の偏移の発生が比較的に少なく、ボイスコイル５０がヨーク３１或いはプレート４０に接触して騒音を発することが比較的に少なくなる。【選択図】図１
0003183392.tif 000002
【実用新案登録請求の範囲】
【請求項１】
第一端及び第二端を有するフレームと、
中間部を有するコーン紙と、
盆状を呈するヨークと、
該ヨークに接合し、該ヨークの上方に位置するマグネットと、
透磁性を有しており、該マグネットに接合し、該マグネットの上方に位置しており、外側面が該ヨークの上端の内側面の間で磁気間隔を形成するプレートと、
第一端面及び第二端面を有しており、該第一端面は該プレートの上方に位置し、該コーン紙の中間部を支持及び固定しており、該第二端面は該プレートに接合する支持柱と、
導電コイルを設けており、上端を固定するように該コーン紙を接合しており、該プレート及び該支持柱が内部に位置するボイスコイルと、
を包括するラウンドスピーカの構造であって、
該フレームの第一端及び第二端はそれぞれ該コーン紙及び該ヨークに接合しており、該フレーム、該コーン紙及び該ヨークから囲むように内部スペースを形成しており、該内部スペースは該ヨーク、該プレート、該ボイスコイル及び該支持柱を収納しており、該ボイスコイルの一端は該磁気間隔内に位置することで、該ボイスコイルは該磁気間隔内において上下運動を行う際、偏移の発生が比較的に少なく、且つ該ボイスコイルが該ヨーク或いは該プレートに接触して騒音を発することが比較的に少ないことを特徴とする、ラウンドスピーカの構造。
【請求項２】
該ラウンドスピーカの構造は、さらに下端を有する固定柱を含んでおり、該固定柱の下端面には第一凸柱を設けており、該支持柱の第一端面には第一凹溝を設けており、該コーン紙には中間部を有しており、該コーン紙の中間部の中央には貫通孔を設けており、該固定柱の第一凸柱は、該コーン紙の貫通孔を挿通して該支持柱の第一凹溝に固定されており、該コーン紙の中間部は該固定柱の下端面と該支持柱の第一端面との間に固定されていることを特徴とする、請求項１に記載のラウンドスピーカの構造。
【請求項３】
該支持柱の第二端面は、第二凸柱を設けており、該プレートの中央は第二凹溝を設けており、該支持柱の第二凸柱は該プレートの第二凹溝に固定されていることを特徴とする、請求項２に記載のラウンドスピーカの構造。
【請求項４】
該第一凸柱と、該第一凹溝の第一溝壁とは、それぞれ互いに螺接するねじ山を有しており、該第二凸柱と、該第二凹溝の第二溝壁とは、それぞれ互いに螺接するねじ山を有していることを特徴とする、請求項３に記載のラウンドスピーカの構造。
【請求項５】
該ラウンドスピーカの構造は、ダストカバーをさらに含んでおり、該ダストカバーは第三凹溝を設けており、該ダストカバーの第三凹溝は固定柱を覆設していることを特徴とする、請求項２乃至４に記載のラウンドスピーカの構造。
【請求項６】
該ダストカバーの下端は、該コーン紙の中間部に係止していることを特徴とする、請求項５に記載のラウンドスピーカの構造。
【考案の詳細な説明】
【技術分野】
【０００１】
本考案は、ラウンドスピーカの構造に関わるものであって、特にボイスコイルの上下運動の際の振れを抑え、出力する音声のクオリティを向上させることができるラウンドスピーカの構造に関する。
【背景技術】
【０００２】
従来のラウンドスピーカは、柱状のボイスコイルの磁気間隔内での上下運動を利用し、コーン紙の振動を駆動して音声を出力しており、例えば、一駆動可能なコーン紙（Ｄｉａｐｈｒａｇｍ）と、一コーン紙の駆動を案内する弾力センタリング装置（Ｒｅｓｉｌｉｅｎｔ  ｃｅｎｔｅｒｉｎｇ  ｄｅｖｉｃｅ）と、コーン紙の駆動を制御するマグネットシステム（Ｍａｇｎｅｔ  ｓｙｓｔｅｍ）を含み、そのうち、コーン紙はマグネットシステムと弾力センタリング装置との間に位置するラウンドスピーカ（特許文献１を参照）が開示されている。
【０００３】
また、盆状に呈するフレームを含み、フレームの内部において中柱を一体的に成形しているラウンドスピーカ構造の改良であって、中柱はフレームの開口方向に成形され、中柱の軸方向に一穿孔を形成しており、一固定部材を穿孔に設けることによって中柱の上端面に、プレート、マグネット及びヨークを設けており、中柱の周囲にペレットとボイスオイルとを設け、ボイスコイルの周りとフレームとの間にコーン紙を設けていること（特許文献２を参照）が開示されている。
【０００４】
上述の固定部材は、フレームの底端面からヨークの前端面まで伸長しているため、長さの長い固定部材を素養しなければならず、そのため、コーン紙が振動して音を発する際、ヨークの前端面に偏移の幅が大きい振れが生じ、ボイスコイルの上下運動に偏移が生じた結果、出力した音声が歪み、さらにはボイスコルが中柱或いはヨークと摩擦して騒音を生じている。また、上述のマグネットの中央部には固定部材を挿通させるための穿孔があり、同一仕様において比較すると、穿孔を設けていないマグネットは、磁気効力が低下し出力する音声のクオリティが落ちている。
【先行技術文献】
【特許文献】
【０００５】
【特許文献１】米国特許２０１２０００２８３６号公報
【特許文献２】台湾特許Ｍ２６４７９３
【考案の概要】
【考案が解決しようとする課題】
【０００６】
周知のラウンドスピーカの構造をさらに改良し、スピーカが出力する音声のクオリティを向上させるため、本考案を提供する。
【課題を解決するための手段】
【０００７】
本考案の主要な目的は、長さの短い支持柱の下端を利用して固定するようにプレートを接合し、支持柱の上端を固定柱に合わせて固定するようにコーン紙の中間部を接合し、ボイスコイルの上端を固定するようにコーン紙を接合するラウンドスピーカの構造を提供することであって、ボイスコイルがコーン紙の振動を駆動して音声を発する場合、支持柱の下端がプレートに固定されているため、長さの短い支持柱の上端は振れによって生じる偏移が少なく、ボイスコイルが磁気間隔内での上下運動の際に発生する偏移、また、ボイスコイルがヨーク或いはプレートと摩擦しておこる騒音も比較的に発生しないことから、スピーカが出力する音声のクオリティを向上することができる。
【０００８】
本考案のもうひとつの目的は、マグネットの中央に貫通孔がないラウンドスピーカの構造を提供することであって、同一仕様において比較すると、貫通孔を設けていないマグネットは、強い磁気効力を有していることから、スピーカが出力する音声のクオリティを向上することができる。
【０００９】
なお、本考案のその他の目的、効果は、添付の図面及び実施例を参照しつつ、以下のとおりに詳細な説明を行う。
【図面の簡単な説明】
【００１０】
【図１】本考案の実施例１に係るラウンドスピーカの構造の概略図である。
【図２】本考案の実施例２に係るラウンドスピーカの構造の概略図である。
【図３】本考案のラウンドスピーカの構造が出力した音波がダストカバーに遮断される概略図である。
【考案を実施するための形態】
【００１１】
図１のとおり、本考案の第一実施例であるラウンドスピーカの構造１はであって、フレーム１０、コーン紙２０、ヨーク３１、マグネット３２、プレート４０、ボイスコイル５０、支持柱６０、固定柱７１及びダストカバー７２を包括して構成されている。
【００１２】
フレーム１０は底面のない盆状を呈し、第一端１１及び第二端１２を有しており、コーン紙２０は中間部２１を有し、中間部２１の中央に貫通孔２２を設けており、ヨーク３１は盆状に呈しており、プレート４０は透磁性を有している。
【００１３】
固定柱７１の下端面７１１は第一凸柱７１２を設けており、支持柱６０は第一端面６１及び第二端面６２を有しており、支持柱６０にある第一端面６１及び第二端面６２はそれぞれ第一凹溝６３及び第二凸柱６４を設けており、プレート４０の中央に第二凹溝４１を設けており、ダストカバー７２は第三凹溝７２１を設けており、ボイスコイル５０はボビン５１と、ボビン５１の外周に巻き付けている導電コイル５２を包括しており、ボイスコイル５０は一般的に周知されたボイスコイルである。
【００１４】
ヨーク３１の一内側端面３１１は、マグネット３２、プレート４０及び支持柱６０の順番で積み重ねられており、マグネット３２は固定するようにヨーク３１に接合されてヨーク３１の上方に設置されており、プレート４０は固定するようにマグネット３２の接合されてマグネット３２の上方に設置されており、ヨーク３１の上端の内側面とプレート４０の外側面との間に磁気間隔４２を形成しており、ボイスコイル５０のボビン５１の上端は固定するようにコーン紙２０に接合している。
【００１５】
プレート４０の第二凹溝４１は、一般的な接合方法によって支持柱６０の第二凸柱６４を収納しており、例えば、粘着剤或いは応力といった方法によって支持柱６０の第二凸柱６４が第二凹溝４１内に固定されている。また、第二凸柱６４と、第二凹溝４１の第二溝壁４１１とは、それぞれ互いに螺接するねじ山を有しており、第二凸柱６４を第二凹層４１に螺接することで、支持柱６０を固定するようにプレート４０に接合され、支持柱６０の第一端面６１を該プレート４０の上方に設置している。
【００１６】
フレーム１０の第一端１１及び第二端１２は、それぞれコーン紙２０及びヨーク３１に接合しており、フレーム１０、コーン紙２０及びヨーク３１から囲むようにして成る内部スペース１３にマグネット３２、プレート４０、ボイスコイル５０及び支持柱６０が収納されている。なお、プレート４０及び支持柱６０はボイスコイル５０の内部に位置している。
【００１７】
固定柱７１の第一凸柱７１２は、コーン紙２０の貫通孔２２を挿通して支持柱６０の第一凹溝６３に固定され、コーン紙２０の中間部２１は固定柱７１の下端面７１１と支持柱６０の第一端面６１との間に固定されている。また、ダストカバー７２の第三凹溝７２１は固定柱７１を覆設し、ダストカバー７２の下端７２２はコーン紙２０の中間部２１に係止している。なお、ダストカバー７２はゴム素材からなるダストカバーとすることができる。
【００１８】
支持柱６０の第一凹溝６３は、一般的な接合方法によって固定柱７１の第一凸柱７１２を収納しており、例えば、粘着剤或いは応力といった方法によって支持柱６０の第１凸柱７１２が第一凹溝６３内に固定されている。また、第一凸柱７１２と、第一凹溝６３の第一溝壁６３１とは、それぞれ互いに螺接するねじ山を有しており、第一凸柱７１２を第一凹層６３に螺接することで、支持柱６０を固定するように固定柱７１に接合されている。
【００１９】
ボイスコイル５０は導電コイル５２が設けられ、その一端は磁気間隔４２に設置されている。導電コイル５２が導電する際に発生する磁力と、ヨーク３１、マグネット３２及びプレート４０からなる磁場とが作用することによって、ボイスコイル５０及びコーン紙２０が駆動し上下運動を繰り返し、スピーカの構造１から音声を発している。
【００２０】
本考案の支持柱６０の下端は固定するようにプレート４０に接合され、支持柱６０の上端は固定柱７１に合わせて固定するようにコーン紙２０の中間部２１に接合されているため、長さの短い支持柱６０を使用することができる。
【００２１】
本考案の特徴は、長さの短い支持柱６０でコーン紙２０の中間部２１を支持及び固定を行い、ボイスコイル５０の上端を固定するようにコーン紙２０に接合することにあり、ボイスコイル５０がコーン紙２０を振動させて音声を発する際、支持柱６０の下端がプレート４０に固定されているため、長さの短い支持柱６０の上端は振れによって発生する偏移量が少なく、ボイスコイル５０が上下運動を行う際の偏移の発生が比較的に少ない。そのため、比較的にスピーカが出力した音声に歪みがなく、ボイスコイル５０がヨーク３１或いはプレート４０に接触して騒音を発することが比較的に少ない。また、マグネット３２の中央には穿孔がないため、同一の仕様において比較すると、貫通孔を設けているマグネットは、強い磁気効力を有することから、スピーカが出力する音声のクオリティを向上させることができる。
【００２２】
本考案のダストカバー７２は、必要に応じて固定柱７１に接合或いは非接合することができる。図２のとおり、本考案の第二実施例であるラウンドスピーカの構造２は、固定柱及びダストカバーを必要とせず、またコーン紙２０の中間部２１の中央に穿孔を設けることを必要とせず、また支持柱６０の第一端面６１に第一凹溝を設けることを必要としないものであって、コーン紙２０の中間部２１が支持柱６０の第一端面６１の上方に固定されており、例え、コーン紙２０の中間部２１が支持柱６０の第一端面６１に粘着して支持柱６０に支持及び固定されても上述の効果を達成することが可能である。
【００２３】
図３のとおり、本考案の固定柱７１及びダストカバー７２は、コーン紙２０の中間部２２より突出しているため、コーン紙２０より発する音波において固定柱７１及びダストカバー７２へ向かって斜め方向に発する音波２３は、ダストカバー７２或いは固定柱７１に接触し（固定柱７１がダストカバー７２に接合されていない場合）、遮断、吸収され、その他のコーン紙２０の前方に向かう音波を干渉せずに、音波を同等化する効果を有することから、スピーカが出力する音声のクオリティを向上させることができる。
【００２４】
以上の叙述は、あくまでも本考案の技術内容を利用した実施例であって、本考案の分野を熟知した者が本考案を運用して行った変化や修飾等は、いずれも本考案の技術的特徴の範囲内に含まれ、掲示した実施例に限定するものではない。
【符号の説明】
【００２５】
１、２        スピーカの構造
１０          フレーム
１１          第一端
１２          第二端
１３          内部スペース
２０          コーン紙
２１          中間部
２２          貫通孔
２３          音波
３１          ヨーク
３１１        内側端面
３２          マグネット
４０          プレート
４１          第二凹溝
４１１        第二溝壁
４２          磁気間隔
５０          ボイスコイル
５１          ボビン
５２          導電コイル
６０          支持柱
６１          第一端面
６２          第二端面
６３          第一凹溝
６３１        第一溝壁
６４          第二凸柱
７１          固定柱
７１１        下端面
７１２        第一凸柱
７２          ダストカバー
７２１        第三凹溝
７２２        下端
【図１】
0003183392.tif 000003
【図２】
0003183392.tif 000004
【図３】
0003183392.tif 000005